(57)【要約】      （修正有）【課題】つなぎ記録のための編集ポイントの検索時間を短縮する。【解決手段】可変長符号化方式により符号化された画像データをテープ状記録媒体上の多数のトラックに対して記録再生する装置であって、Ｎトラック分の符号化された画像データに対してエラー訂正符号化処理を施し、前記テープを搬送しながらエラー訂正符号化処理された画像データを記録再生し、前記テープに既に記録されている画像データに引き続いて新たに画像データを記録するつなぎ記録のための編集ポイントを、再生された画像データより検出し、前記テープをｎ倍速（ｎは２以上の整数）で搬送しながら再生し、ｎ倍速で再生された画像データより前記編集ポイントを検出し、前記テープを通常再生時とは逆方向にｍ倍速（ｍは１／２以下の任意の数）で搬送しながら前記編集ポイントを含むＮトラック分の画像データを再生してメモリに書き込む。【選択図】      図１
2007036449.tif 000002
【特許請求の範囲】
【請求項１】
可変長符号化方式により符号化された画像データをテープ状記録媒体上の多数のトラックに対して記録再生する装置であって、
Ｎトラック分の前記符号化された画像データに対してエラー訂正符号化処理を施すエラー訂正符号化手段と、
前記テープ状記録媒体を搬送しながら前記エラー訂正符号化手段によりエラー訂正符号化処理された画像データを前記テープ状記録媒体に対して記録再生する記録再生手段と、
前記テープ状記録媒体から再生された画像データを記憶するメモリと、
前記テープ状記録媒体に既に記録されている画像データに引き続いて新たに画像データを記録するつなぎ記録のための編集ポイントを、前記テープ状記録媒体から再生された画像データより検出する検出手段と、
前記テープ状記録媒体をｎ倍速（ｎは２以上の整数）で搬送しながら前記画像データを再生し、前記ｎ倍速で再生された画像データより前記検出手段が前記編集ポイントを検出したことに応じて、前記テープ状記録媒体を通常再生時とは逆方向にｍ倍速（ｍは１／２以下の任意の数）で搬送しながら前記編集ポイントを含む前記Ｎトラック分の画像データを再生して前記メモリに書き込むよう、前記記録再生手段を制御する制御手段とを備える記録再生装置。
【請求項２】
前記画像データは、フレーム毎の符号量が一致しない符号化方式で符号化されていることを特徴とする請求項１記載の記録再生装置。
【請求項３】
前記制御手段は、前記編集ポイントを含むＮトラック分の画像データを前記メモリに記憶したことに応じて前記テープ状記録媒体の搬送を停止するよう前記記録再生手段を制御することを特徴とする請求項１記載の記録再生装置。
【請求項４】
前記制御手段は、前記編集ポイントを含むＮトラック分の画像データを前記メモリに記憶した後、前記つなぎ記録のために必要なだけ更に前記テープ状記録媒体を前記逆方向に搬送した後、搬送を停止するよう前記記録再生手段を制御することを特徴とする請求項１記載の記録再生装置。
【請求項５】
可変長符号化方式により符号化された画像データをテープ状記録媒体上の多数のトラックに対して記録再生する方法であって、
Ｎトラック分の前記符号化された画像データに対してエラー訂正符号化処理を施すエラー訂正符号化工程と、
前記テープ状記録媒体を搬送しながら前記エラー訂正符号化工程によりエラー訂正符号化処理された画像データを前記テープ状記録媒体に対して記録再生する記録再生工程と、
前記テープ状記録媒体から再生された画像データをメモリに記憶する記憶工程と、
前記テープ状記録媒体に既に記録されている画像データに引き続いて新たに画像データを記録するつなぎ記録のための編集ポイントを、前記テープ状記録媒体から再生された画像データより検出する検出工程と、
前記テープ状記録媒体をｎ倍速（ｎは２以上の整数）で搬送しながら前記画像データを再生し、前記ｎ倍速で再生された画像データより前記検出工程で前記編集ポイントを検出したことに応じて、前記テープ状記録媒体を通常再生時とは逆方向にｍ倍速（ｍは１／２以下の任意の数）で搬送しながら前記編集ポイントを含む前記Ｎトラック分の画像データを再生して前記メモリに書き込むよう制御する制御工程とを備える記録再生方法。
【発明の詳細な説明】
【技術分野】
【０００１】
本発明は、テープメディアに記録された映像データに新たな映像データのつなぎ記録を行う技術に関する。
【背景技術】
【０００２】
従来、動画像信号や音声信号をデジタル信号として磁気テープに記録再生するデジタルVTRが知られている。民生用のデジタルVTRの規格として、DVフォーマットが提案されている。また、撮影した動画像をDVフォーマットに従って磁気テープに記録するビデオカメラも登場している。
【０００３】
DVフォーマットでは、テープ上の１本のトラックを単位としてエラー訂正符号化処理を施し、１フレームの画像データをテープ上の１０本のトラックに記録している。そのため、ビデオカメラにおいてつなぎ記録を行う場合、この１０トラックを単位につなぎ記録を行う。
【０００４】
DVフォーマットでは、画像データをフレーム内符号化方式にて符号化して記録している。
【０００５】
これに対し、近年、撮影した画像データをMPEGなどのフレーム間予測符号化方式にて符号化して磁気テープに記録再生するビデオカメラが登場している。この様にMPEG方式で画像データを符号化して記録する民生用のデジタルVTRの規格として、HDV方式が提案されている。
【０００６】
MPEG符号化は可変長符号化方式のため、１フレーム当たりの符号量が一定ではない。そのため、HDV方式では、テープに記録される画像データのフレーム境界の位置が各フレームのデータ量に応じて変化する。また、HDV方式では、テープ上の１６トラック分のデータ（ECCユニット）をインターリーブした後エラー訂正符号化処理を施している。
【０００７】
HDV方式のビデオカメラにおいて、テープ上に記録された画像データに引き続き新たな画像データを記録するつなぎ記録を行う場合には、つなぎ記録を開始するフレームの切れ目を含む１６トラック分のデータを予めテープから再生してメモリに蓄積する。そして、メモリ上で新たに記録する画像データをつなぎ記録開始位置にて合成することで実現している（例えば、特許文献１参照）。
【特許文献１】特開２０００−１３４５６８公報
【発明の開示】
【発明が解決しようとする課題】
【０００８】
前述の様に、HDV方式のビデオカメラにてつなぎ記録を行う場合、つなぎ記録開始位置を含むECCユニットのデータを予めテープにより再生してメモリに蓄積しておく必要がある。HDV方式では、つなぎ記録開始位置が予め決められており、これを編集ポイントという。編集ポイントは、MPEGデータのＩフレームまたはＰフレームの先頭位置に設定されており、１ＧＯＰが１５フレーム、ＩフレームとＰフレームの間のＢフレームが２フレームで構成されていた場合、編集ポイントは２フレームおきに記録されている。
【０００９】
図２にHDV方式における磁気テープ上の記録パターンの一例を示す。
【００１０】
図２において、各ECCユニット単位でECCユニット内に前述の編集ポイントが存在するか否かを示す付加情報が記録されている。そのため、つなぎ記録開始位置を検索する場合に、この付加情報を用いて編集ポイントの検索ができる。
【００１１】
この場合、例えばテープを高速（例えば、ECCユニットが１６トラックなので、その半分の８倍速など）に搬送しながら付加情報が記録されたデータを再生することで、より迅速に編集ポイントを検出することが可能となる。
【００１２】
次に、ECCユニットの付加情報を用いて編集ポイントを検索する動作について説明する。
【００１３】
図３は編集ポイントの検索動作を示す図である。
【００１４】
図３において、編集ポイントを検索するために８倍速でテープを搬送しながら付加情報を含むデータを再生し、編集ポイントを含むECCユニットを検出する（Pass31）。Pass31によって編集ポイントを検出すると、この編集ポイントを含むECCユニットの再生可能な位置までテープを逆方向に８倍速で搬送する(Pass32)。次に、通常再生速度（１倍速）でテープを搬送しながら、編集ポイントを含むECCユニットのデータを再生しメモリに蓄積する（Pass33）。Pass33で編集ポイントを含むECCユニットのデータを再生した後に、このECCユニットからつなぎ記録開始位置までテープを巻き戻して停止する（Pass34）。
【００１５】
上述のように、HDV方式におけるつなぎ記録を行う場合には、Pass31〜34のように頻繁にテープの走行／停止を繰り返すことになる。このため、電源投入時などに、つなぎ記録開始位置を検出しつなぎ記録が可能となるまでに時間がかかってしまい、ユーザがすぐに記録を実行することができないといった問題がある。
【００１６】
本発明は、上記課題に鑑みてなされ、つなぎ記録のための編集ポイントの検索時間を短縮することを目的とする。
【課題を解決するための手段】
【００１７】
上記課題を解決し、目的を達成するために、本発明の記録再生装置は、可変長符号化方式により符号化された画像データをテープ状記録媒体上の多数のトラックに対して記録再生する装置であって、Ｎトラック分の前記符号化された画像データに対してエラー訂正符号化処理を施すエラー訂正符号化手段と、前記テープ状記録媒体を搬送しながら前記エラー訂正符号化手段によりエラー訂正符号化処理された画像データを前記テープ状記録媒体に対して記録再生する記録再生手段と、前記テープ状記録媒体から再生された画像データを記憶するメモリと、前記テープ状記録媒体に既に記録されている画像データに引き続いて新たに画像データを記録するつなぎ記録のための編集ポイントを、前記テープ状記録媒体から再生された画像データより検出する検出手段と、前記テープ状記録媒体をｎ倍速（ｎは２以上の整数）で搬送しながら前記画像データを再生し、前記ｎ倍速で再生された画像データより前記検出手段が前記編集ポイントを検出したことに応じて、前記テープ状記録媒体を通常再生時とは逆方向にｍ倍速（ｍは１／２以下の任意の数）で搬送しながら前記編集ポイントを含む前記Ｎトラック分の画像データを再生して前記メモリに書き込むよう、前記記録再生手段を制御する制御手段とを備える。
【００１８】
また、本発明の記録再生方法は、可変長符号化方式により符号化された画像データをテープ状記録媒体上の多数のトラックに対して記録再生する方法であって、Ｎトラック分の前記符号化された画像データに対してエラー訂正符号化処理を施すエラー訂正符号化工程と、前記テープ状記録媒体を搬送しながら前記エラー訂正符号化工程によりエラー訂正符号化処理された画像データを前記テープ状記録媒体に対して記録再生する記録再生工程と、前記テープ状記録媒体から再生された画像データをメモリに記憶する記憶工程と、前記テープ状記録媒体に既に記録されている画像データに引き続いて新たに画像データを記録するつなぎ記録のための編集ポイントを、前記テープ状記録媒体から再生された画像データより検出する検出工程と、前記テープ状記録媒体をｎ倍速（ｎは２以上の整数）で搬送しながら前記画像データを再生し、前記ｎ倍速で再生された画像データより前記検出工程で前記編集ポイントを検出したことに応じて、前記テープ状記録媒体を通常再生時とは逆方向にｍ倍速（ｍは１／２以下の任意の数）で搬送しながら前記編集ポイントを含む前記Ｎトラック分の画像データを再生して前記メモリに書き込むよう制御する制御工程とを備える。
【発明の効果】
【００１９】
本発明によれば、編集ポイントを検出するまではテープを２倍速以上で搬送し、編集ポイントを検出すると通常再生時とは逆方向に１／２倍速以下で搬送しながら編集ポイントを含むＮトラック分の画像データを再生してメモリに書き込む。これにより、編集ポイントの検索においてテープの再生／停止の回数を減らすことができるので、編集ポイント検索のための所要時間を短縮し、つなぎ記録開始時のユーザ操作に対する応答性を高めることができる。
【発明を実施するための最良の形態】
【００２０】
以下に、添付図面を参照して本発明を実施するための最良の形態について詳細に説明する。
【００２１】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００２２】
図１は本発明に係る実施形態の記録再生装置100の構成を示すブロック図である。
【００２３】
図１において、101は被写体からの光を電気信号に変換する、レンズやCCDなど撮像素子を含むレンズユニットである。102はレンズユニット101からの信号を画像データへ変換するカメラ信号処理部である。103はカメラ信号処理部102から出力される画像データを一時的に保持する画像メモリである。104は画像メモリ103に保持されている画像データを用いてMPEGデータへ圧縮しデータメモリ105へ出力する機能と、データメモリ105に保持されているMPEGデータを伸張し画像メモリ103へ出力する機能をもつMPEG Codecである。105はCode104から出力されるMPEGデータを一時的に保持するデータメモリである。106は画像メモリ103から画像データを読み出し、LCDや外部機器等の表示デバイスへ表示信号を出力する表示出力部である。107はユーザとのI/Fとなる操作キーである。108は記録再生装置100全体を制御するCPUである。109はテープデッキ機構部120を制御するデッキ制御部である。110はデータメモリ105からMPEGデータを読み出し、エラー訂正信号を付加し、記録媒体への書き込みを行う記録再生部である。111はテープデッキ機構部120に含まれ、テープに磁気記録を行う磁気ヘッドを搭載した回転ドラムである。本実施形態では、互いにアジマス角が異なる二つの磁気ヘッドが１８０度の位相差で回転ドラム１１１に設置されている。そして、これら二つの時期ヘッドにより交互にテープ上を走査することで、データを記録再生する。112はテープ走行制御用のキャプスタンサーボである。
【００２４】
上記101〜112で記録再生装置100を構成しており、記録媒体であるテープメディアは111，112を含むテープデッキ機構部120に脱着可能である。
【００２５】
通常のカメラ記録動作は、レンズユニット101によって被写体像を電気信号に変換し、カメラ信号処理部102により画像処理されて画像メモリ103に保持される。画像メモリ103に保持された画像データをCodec104がMPEGデータへ圧縮し、データメモリ105に出力され保持される。データメモリ105に保持された画像データはデッキ制御部109によって走行しているテープメディアに対し、記録再生部110でエラー訂正信号が付加された磁気データとして記録される。
【００２６】
通常再生時はデッキ制御部109によって走行しているテープメディアから、記録再生部110がデータを読み取りエラー訂正処理を行った後に、MPEGデータをデータメモリ105へ出力し、一時的に保持する。Codec104はデータメモリ105からMPEGデータを読み込み伸張処理を行った結果を画像メモリ103へ出力し、画像メモリ103で保持する。表示出力部106は画像メモリ103に保持されている画像データを順次読み出し表示デバイスへ出力する。
【００２７】
図７は本実施形態の-1/2倍速テープ走行時の磁気ヘッドトレースパターンである。
【００２８】
図７に示すようにテープ走行速度の絶対値が1/2以下であれば二つの磁気ヘッドが、各トラックのデータを少なくとも１回は再生することが可能である。即ち、テープ走行速度の絶対値が1/2以下であれば、各トラックの全てのデータを読み取ることが可能である。
【００２９】
次に、編集ポイントの検出処理について説明する。
【００３０】
本実施形態では、テープを含むカセットの装着時や、電源投入時などにおいて、ＣＰＵ１０８によりテープ上の編集ポイント検索処理が実行される。
【００３１】
図４は、本実施形態における編集ポイントの検索動作を説明する図である。
図４において、編集ポイントを検索するため、テープを8倍速で搬送しながら付加情報を取得し参照する(Pass41)。Pass41の処理によって所望の編集ポイント、例えば、直近の編集ポイントを検出すると、その編集ポイントを含むＥＣＣユニットを-1/3倍速で再生可能な位置までテープを巻き戻す。その後、テープを-1/3倍速で搬送しながら磁気ヘッドによりテープ上を走査してデータを再生し、編集ポイントを含む１ＥＣＣユニット分のデータをデータメモリ105へ読み込み保持する。編集ポイントを含むＥＣＣユニットの読み取りが終了次第、つなぎ記録のためのトラッキングに必要なトラック位置までテープを巻き戻し記録ポーズ状態になる（Pass42）。
【００３２】
図５は-1/3倍速の速度でテープを走行させている場合の磁気ヘッドの走査パターンである。
【００３３】
上述の図４のPass42において、-1/3倍速の速度でテープを走行している場合は、図５に示すように、二つの磁気ヘッドが各トラックをトレース可能であり、全てのデータを正常に読み取ることが可能である。Pass42では、この様に再生された１ＥＣＣユニット分のデータをデータメモリ105に読み込み保持している。
【００３４】
図６は本実施形態のつなぎ記録ポーズ動作のフローチャートである。
【００３５】
先ず、８倍速でテープを搬送させながらＥＣＣユニットの付加情報を読み取り、編集点を含むＥＣＣユニットを検出する（S601）。次に、編集ポイントを含むＥＣＣユニットが検出されたかを判断する（S602）。編集ポイントを含むＥＣＣユニットが検出されないならばS601へ戻る。編集ポイントを含むＥＣＣユニットが検出されたならば、現在のテープ位置がS602で検出した編集ポイントを含むＥＣＣユニットを-1/3倍速で再生可能かを判断する(S603)。再生能でないならば-8倍速でテープを搬送してS603へ戻る（S604）。再生可能ならばその位置でテープの搬送を停止し、-1/3倍速でテープを搬送しながら、S602で検出した編集ポイントを含むＥＣＣユニットのデータを再生してデータメモリ105へ保持する（S605）。
【００３６】
編集ポイントを含むＥＣＣユニット全てのデータをメモリ１０５に保持したか判断する（S606）。全てのデータを保持していないならばS605へ戻る。全てのデータを保持したならば、現在のテープ位置が、つなぎ記録のためのトラッキングに必要なテープ位置かを判断する(S607)。つなぎ記録可能なテープ位置でないならば-8倍速でテープを搬送し、つなぎ記録のためのトラッキングが可能となる位置までテープを搬送して停止する(S608,S609)
本実施形態では編集ポイントを検出する際、テープを8倍速で搬送したが、2倍速、4倍速、16倍速など、他の速度でもよい。
【００３７】
また、本実施形態では、-8倍速でテープの巻き戻しを行ったが、任意のテープ走行速度を用いてもよい。
【００３８】
また、本実施形態では、編集ポイントを含むＥＣＣユニットのデータを取り込む際に、-1/3倍速でテープを搬送したが、-1/2倍速以下であれば、他の速度で搬送することも可能である。
【００３９】
［他の実施形態］
以上、本発明に係る実施形態について具体例を用いて詳述したが、本発明は、例えば、システム、装置、方法、プログラム若しくは記憶媒体（記録媒体）等としての実施態様をとることが可能である。具体的には、複数の機器から構成されるシステムに適用しても良いし、また、一つの機器からなる装置に適用しても良い。
【００４０】
また、本発明の目的は、図示の機能ブロック及び動作において、いずれの部分をハードウェア回路により実現し、或いはコンピュータを用いたソフトウェア処理によって実現しても達成されることは言うまでもない。
【００４１】
尚、本発明は、前述した実施形態の機能を実現するソフトウェアのプログラムを、システムあるいは装置に直接あるいは遠隔から供給することによって達成される場合も含む。その場合、システム等のコンピュータが該プログラムコードを読み出して実行することになる。
【００４２】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００４３】
その場合、プログラムの機能を有していれば、オブジェクトコード、インタプリタにより実行されるプログラム、OSに供給するスクリプトデータ等の形態であっても良い。
【００４４】
プログラムを供給するための記録媒体（記憶媒体）としては、例えば、フレキシブルディスク、ハードディスク、光ディスク、光磁気ディスク等がある。その他にも、MO、CD-ROM、CD-R、CD-RW、磁気テープ、不揮発性のメモリカード、ROM、DVD(DVD-ROM、DVD-R)等がある。
【００４５】
その他、プログラムの供給方法としては、クライアントコンピュータのブラウザを用いてインターネットのホームページに接続し、該ホームページから本発明のコンピュータプログラムそのものをダウンロードすることもできる。また圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるWWWサーバも、本発明に含まれるものである。
【００４６】
また、本発明のプログラムを暗号化してCD-ROM等の記憶媒体に格納してユーザに配布し、所定の条件をクリアしたユーザが、インターネットを介してホームページから暗号化を解く鍵情報をダウンロードすることもできる。この場合、ダウンロードした鍵情報を使用することにより暗号化されたプログラムを実行してコンピュータにインストールさせて実現する。
【００４７】
また、コンピュータが、読み出したプログラムを実行することによって、前述した実施形態の機能が実現される他、そのプログラムの指示に基づき、コンピュータ上で稼動しているOS等が、実際の処理の一部又は全部を行うことによっても実現され得る。
【００４８】
更に、記録媒体から読み出されたプログラムが、コンピュータに挿入された機能拡張ボードやコンピュータに接続された機能拡張ユニットのメモリに書き込まれた後、該ボード等のCPU等が実際の処理の一部又は全部を行うことによっても実現される。
【図面の簡単な説明】
【００４９】
【図１】本発明に係る実施形態の記録再生装置の構成を示すブロック図である。
【図２】HDV方式における磁気テープ上の記録パターンを示す図である。
【図３】従来例のつなぎ記録ポーズ動作を説明する図である。
【図４】本実施形態のつなぎ記録ポーズ動作を説明する図である。
【図５】本実施形態の-1/3倍速テープ走行時の磁気ヘッドのトレースパターンを示す図である。
【図６】本実施形態のつなぎ記録ポーズ動作のフローチャートである。
【図７】本実施形態の-1/2倍速テープ走行時の磁気ヘッドのトレースパターンを示す図である。
【符号の説明】
【００５０】
100  記録再生装置
101  レンズユニット
102  カメラ信号処理部
103  画像メモリ
104  Codec
105  データメモリ
106  表示出力部
107  操作キー
108  CPU
109  デッキ制御部
110  記録再生部
111  磁気ヘッド付回転ドラム
112  キャプスタンサーボ
120  テープデッキ機構部
【図１】
2007036449.tif 000003
【図２】
2007036449.tif 000004
【図３】
2007036449.tif 000005
【図４】
2007036449.tif 000006
【図５】
2007036449.tif 000007
【図６】
2007036449.tif 000008
【図７】
2007036449.tif 000009